(57)【要約】【課題】複数の携帯端末内のファイルを共有する際に、ユーザは一連の作業を手動で行わなければならず手間がかかる【解決手段】撮影する画像をファイルとして出力するカメラ部と、時刻を刻む時計部と、ファイルを、時刻と共に保存する保存部と、ユーザの操作を受ける操作入力部と、無線部と、通信部と、制御部と、を備え、操作入力部が、共有を許可する共有モードの開始の操作を受けた場合、無線部は、共有モード開始の旨と、時刻と、ユーザ識別情報と、を所定の出力で送信し、次に、操作入力部が、共有モードの終了の操作を受けた場合、無線部は、共有モード終了の旨と、時刻と、ユーザ識別情報と、を所定の出力で送信し、その後、通信部が、開始時刻と、終了時刻と、サーバの番地とを受信すると、開始時刻と終了時刻との間の時刻に対応したファイルを保存部から読み出し、通信部を介して、前記サーバに送信する。【選択図】図１
2012150531.tif 000002
【特許請求の範囲】
【請求項１】
撮影する画像をファイルとして出力するカメラ部と、
時刻を刻む時計部と、
前記ファイルを、前記時刻と共に保存する保存部と、
ユーザの操作を受ける操作入力部と、
無線部と、
通信部と、
制御部と、を備え、
前記操作入力部が、共有を許可する共有モードの開始の操作を受けた場合、
前記無線部は、前記共有モード開始の旨と、前記時刻と、ユーザ識別情報と、を所定の出力で送信し、
次に、前記操作入力部が、前記共有モードの終了の操作を受けた場合、
前記無線部は、前記共有モード終了の旨と、前記時刻と、ユーザ識別情報と、を所定の出力で送信し、
その後、前記通信部が、開始時刻と、終了時刻と、サーバの番地とを受信すると、
前記開始時刻と前記終了時刻との間の時刻に対応したファイルを前記保存部から読み出し、
前記通信部を介して、前記サーバに送信するカメラ付き携帯端末。
【請求項２】
請求項１に記載のカメラ付き携帯端末であって、
前記通信部は、前記サーバに保存されたファイルを受信するカメラ付き携帯端末。
【請求項３】
前記共有モード開始・終了の旨と、前記時刻と、ユーザ識別情報を受信する無線部と、
受信された前記共有モード開始・終了の旨と、前記時刻と、ユーザ識別情報を基に、前記ユーザ識別情報に対応し、共有モードの開始時刻と終了時刻を保存するモード保存部と、
サーバの番地を保存する番地保存部と、
ユーザ識別情報を基に、送信先を特定する送信先特定部と、
ユーザの操作を受ける操作入力部と、
通信部と、
制御部と、を備え、
前記通信部は、前記モード保存部のユーザ識別情報に対応する前記送信先に、前記ユーザ識別情報に対応する開始時刻と終了時刻と、前記サーバの番地を送信する携帯端末。
【請求項４】
請求項３に記載の携帯端末であって、
前記通信部は、前記モード保存部のユーザ識別情報に対応する前記送信先に、前記モード保存部の全てのユーザ識別情報に対応する開始時刻の中で、最古の時刻を開始時刻として送信し、全てのユーザ識別情報に対応する終了時刻の中で、最新の時刻を終了時刻として送信する携帯端末。
【請求項５】
請求項３又は請求項４に記載の携帯端末であって、
前記送信先として電子メールアドレスを用いる携帯端末。
【請求項６】
請求項１又は請求項２に記載のカメラ付き携帯端末であって、
請求項３、請求項４、又は請求項５のいずれか一項に記載の携帯端末の機能を備えたカメラ付き携帯端末。
【請求項７】
請求項１又は請求項２に記載のカメラ付き携帯端末と、
請求項３、請求項４、請求項５のいずれか一項に記載の携帯端末と、
サーバと、からなる情報処理システム。
【請求項８】
請求項１又は請求項２に記載のカメラ付き携帯端末であって、
請求項３、請求項４、又は請求項５いずれか一項に記載の携帯端末の機能を備えたカメラ付き携帯端末と、
サーバと、からなる情報処理システム。
【発明の詳細な説明】
【技術分野】
【０００１】
本発明は、複数の携帯端末内のファイルを共有するためのカメラ付き携帯端末に関するものである
【背景技術】
【０００２】
従来、この種の装置としては、例えば、特許文献１、２に記載されているようなものがあった。
【０００３】
特許文献１には、コンテンツ収録手段と、表示手段と、位置検出手段とを備えた無線携帯端末と、コンテンツ管理装置からなる情報処理装置が記載されている。
【０００４】
この情報処理装置によれば、ある無線圏内において、複数人で無線・カメラ付き携帯端末を用いて、同じ時間帯に撮影した画像を管理装置に無線送信する。管理装置から各端末に対してサムネイルリストが送信され、各ユーザは所望画像を選択して、管理装置に配信要求を送信することができる。
【０００５】
特許文献２には、撮影手段と、ユーザ情報管理記憶手段と、ワイヤレス通信手段と、通信情報を撮影画像に関連して記録する手段をもつ撮影装置が記載されている。
【０００６】
この撮影装置によれば、複数人で無線・カメラ付き携帯端末を用いて、同じ時間帯に画像を撮影した際に、近隣のユーザ同士で情報（メールアドレス、Webサイトアドレス、撮影日時・位置等）を自動で交換する。交換した情報を用いて、別途画像の交換を行うことができる。
【先行技術文献】
【特許文献】
【０００７】
【特許文献１】特開２００６−１０１１５７号公報
【特許文献２】特開２００５−２２３８１４号公報
【発明の概要】
【発明が解決しようとする課題】
【０００８】
しかしながら、特許文献１に記載されたものでは、ユーザが選択した画像しか取得できない。また、特許文献２に記載されたものでは、画像を取得したい人が、画像の保有者に対して所望の画像を指定し、画像の保有者は指定された画像を選択して配信しなければならない。即ち、ユーザは一連の作業（アップロードファイルの選択→コピー）を手動で行わなければならず、手間がかかるという共通課題がある。
【０００９】
本発明は、上記課題を解決するために、ある無線圏内にて、カメラ付き携帯端末を用いて、複数人で撮影した画像を、ユーザ選択なしで共有するものである。
【課題を解決するための手段】
【００１０】
本発明のカメラ付き携帯端末は、撮影する画像をファイルとして出力するカメラ部と、時刻を刻む時計部と、前記ファイルを、前記時刻と共に保存する保存部と、ユーザの操作を受ける操作入力部と、無線部と、通信部と、制御部と、を備え、前記操作入力部が、共有を許可する共有モードの開始の操作を受けた場合、前記無線部は、前記共有モード開始の旨と、前記時刻と、ユーザ識別情報と、を所定の出力で送信し、次に、前記操作入力部が、前記共有モードの終了の操作を受けた場合、前記無線部は、前記共有モード終了の旨と、前記時刻と、ユーザ識別情報と、を所定の出力で送信し、その後、前記通信部が、開始時刻と、終了時刻と、サーバの番地とを受信すると、前記開始時刻と前記終了時刻との間の時刻に対応したファイルを前記保存部から読み出し、前記通信部を介して、前記サーバに送信する。
【００１１】
また、前記通信部は、前記サーバに保存されたファイルを受信する。
【００１２】
この構成により、各ユーザの共有モード設定時刻内におさまる撮影画像を共用対象画像とすることで、ある無線圏内で撮影され、かつ各ユーザが共有を許可した画像をユーザ選択なしで前記サーバに送信することが出来る。また、前記サーバの画像を受信することが出来る。
【００１３】
また、本発明の携帯端末は、前記共有モード開始・終了の旨と、前記時刻と、ユーザ識別情報を受信する無線部と、受信された前記共有モード開始・終了の旨と、前記時刻と、ユーザ識別情報を基に、前記ユーザ識別情報に対応し、共有モードの開始時刻と終了時刻を保存するモード保存部と、サーバの番地を保存する番地保存部と、ユーザ識別情報を基に、送信先を特定する送信先特定部と、ユーザの操作を受ける操作入力部と、通信部と、制御部と、を備え、前記通信部は、前記モード保存部のユーザ識別情報に対応する前記送信先に、前記ユーザ識別情報に対応する開始時刻と終了時刻と、前記サーバの番地を送信する。
この構成により、各ユーザの共有モード設定時刻を保存することで、各ユーザの共有対象画像の時間幅を指定することが出来る。また、画像の送信先であるサーバの番地を指定することができる。
本発明の携帯端末は、前記通信部は、前記モード保存部のユーザ識別情報に対応する前記送信先に、前記モード保存部の全てのユーザ識別情報に対応する開始時刻の中で、最古の時刻を開始時刻として送信し、全てのユーザ識別情報に対応する終了時刻の中で、最新の時刻を終了時刻として送信する。
この構成により、共有対象画像の時刻幅を広げることで、ある無線圏内で撮影された全ての画像を共有対象画像とすることが出来る。
本発明の携帯端末は、前記送信先として電子メールアドレスを用いる。
この構成により、各ユーザ識別子に対する電子メールアドレスを照合することで、各ユーザに対して、共有対象時刻と前記サーバの番地を自動で送信することが出来る。
【００１４】
本発明のカメラ付き端末は、前記携帯端末の機能を備える。
この構成により、２つの機能を単一の端末に備えることで、１画像撮影・送信、２画像共有指示どちらの操作も実行することが出来る。
【００１５】
本発明の情報処理システムは、前記カメラ付き携帯端末と、前記携帯端末と、前記サーバと、からなる。また、本発明の情報処理システムは、前記携帯端末の機能を備えたカメラ付き携帯端末と、サーバと、からなる。
この構成により、共有モード設定時刻・ユーザ識別情報、共有対象画像の時刻幅・サーバの番地を送信しあうことで、ある無線圏内で撮影され、かつ各ユーザが共有を許可した写真を入手することが出来る。また、思いもよらない画像(潜在的に欲しい画像)を得ることが出来る。
【発明の効果】
【００１６】
本発明の携帯端末によれば、イベント会場等の、ある範囲内で撮影され、かつ各ユーザが共有を許可した写真を入手できる。イベントに関連する思いもよらない写真（潜在的に欲しい写真）を得られる。
【図面の簡単な説明】
【００１７】
【図１】本発明の実施の形態１における情報処理システム全体のブロック図
【図２】本発明の実施の形態１における情報処理システムの動作を説明するシーケンス図
【図３】本発明の実施の形態２における情報処理システムの動作を説明するシーケンス図
【図４】本発明の実施の形態１および実施の形態２における形態端末の動作を説明するフローチャート
【発明を実施するための形態】
【００１８】
以下に、本発明の実施の形態について、図面を参照しながら説明する。
【００１９】
（実施の形態１）
図１は、本発明の第１の実施の形態における情報処理システム全体のブロック図である。
【００２０】
図１に示すように、本発明の第１の実施の形態における情報処理システムは、第１の携帯端末１１０と、第２の携帯端末１２０と、サーバ１３０から構成される。
【００２１】
第１の携帯端末１１０は、カメラ部１１１と、時計部１１２と、第１の保存部１１３と、第１の操作入力部１１４と、第１の無線部１１５と、第１の通信部１１６と、第１の制御部１１７とから構成される。
【００２２】
次に第１の携帯端末１１０の各ブロックの処理について説明をする。
【００２３】
カメラ部１１１は、人物、風景等を撮影し、撮影画像をファイルとして出力するブロックである。カメラ部１１１は、たとえば内蔵のカメラデバイス、外付のカメラデバイスにより実現される。
【００２４】
時計部１１２は、時刻を刻むブロックである。
【００２５】
第１の保存部１１３は、前期画像ファイルを、前期時刻と共に保存するブロックである。第１の保存部１１３は、たとえばハードディスク、ＳＤカード、フロッピー（登録商標）ディスク等により実現される。
【００２６】
第１の操作入力部１１４は、ユーザの操作を受けるブロックである。第１の操作入力部１１４は、たとえばキーボード、キーボタン、タッチパネルにより実現される。
【００２７】
第１の無線部１１５は、第２の携帯端末１２０と近距離無線データ通信をするためのブロックである。第１の無線部１１５による無線データ通信は、たとえば赤外線通信、Ｂｌｕｅｔｏｏｔｈ通信、無線ＬＡＮ通信等により実現される。
【００２８】
第１の通信部１１６は、第２の携帯端末１２０と、サーバ１３０とデータ通信をするためのブロックである。第１の通信部１１６によるデータ通信は、たとえばインターネット通信、セルラー通信、Ｅメール等により実現される。
【００２９】
第１の制御部１１７は、各ブロックからの命令を受け、その命令に基づき各ブロックを制御するブロックであり、各情報を第１の保存部１１３に保存する、あるいは各情報を第１の保存部１１３から読み出すブロックである。第１の制御部１１７は、たとえばＣＰＵ（Ｃｅｎｔｒａｌ  Ｐｒｏｃｅｓｓｉｎｇ  Ｕｎｉｔ）上で動作するプログラムにより実現される。
【００３０】
以下、第１の制御部１１７が行う処理について、具体的に説明する。
【００３１】
第１の制御部１１７が行う第１の処理では、第１の操作入力部１１４から共有を許可する共有モードの開始命令を受け、第１の無線部１１５を介して、共有モード開始の旨と、時刻と、ユーザ識別情報とを第２の携帯端末１２０に送信する。
【００３２】
第１の制御部１１７が行う第２の処理では、第１の操作入力部１１４からカメラ撮影命令を受け、カメラ部１１１を介してカメラ撮影を行い、撮影画像ファイルと撮影時刻を第１の保存部１１３に保存する。
【００３３】
第１の制御部１１７が行う第３の処理では、第１の操作入力部１１４から共有モードの終了命令を受け、第１の無線部１１５を介して、共有モード終了の旨と、時刻と、ユーザ識別情報とを第２の携帯端末１２０に送信する。
【００３４】
第１の制御部１１７が行う第４の処理では、第１の通信部１１６を介して、第２の携帯端末１２０から開始時刻と、終了時刻と、サーバの番地（ＵＲＬ等）とを受信すると、開始時刻と終了時刻との間の時刻に対応した画像ファイルを保存する第１の保存部１１３から読み出し、第１の通信部１１６を介して、サーバ１３０に送信する。
【００３５】
第２の携帯端末１２０は、第２の無線部１２１と、モード保存部１２２と、番地保存部１２３と、送信先特定部１２４と、第２の操作入力部１２５と、第２の通信部１２６と、第２の制御部１２７とから構成される。
【００３６】
次に第２の携帯端末１２０の各ブロックの処理について説明をする。
【００３７】
第２の無線部１２１は、第１の携帯端末１１０と近距離無線データ通信をするためのブロックである。第２の無線部１２１による無線データ通信は、たとえば赤外線通信、Ｂｌｕｅｔｏｏｔｈ通信、無線ＬＡＮ通信等により実現される。
【００３８】
モード保存部１２２は、共有モードの開始時刻と終了時刻を保存するブロックである。モード保存部１２２は、たとえばハードディスク、ＳＤカード、フロッピー（登録商標）ディスク等により実現される。
【００３９】
番地保存部１２３は、サーバの番地を保存するブロックである。番地保存部１２３は、たとえばハードディスク、ＳＤカード、フロッピー（登録商標）ディスク等により実現される。
【００４０】
送信先特定部１２４は、ユーザ識別情報を基に、送信先を特定するブロックである。たとえば、電話帳アプリケーション等により実現される。
【００４１】
第２の操作入力部１２５は、ユーザの操作を受けるブロックである。第２の操作入力部１２５は、たとえばキーボード、キーボタン、タッチパネルにより実現される。
【００４２】
第２の通信部１２６は、第１の携帯端末１１０とデータ通信をするためのブロックである。第２の通信部１２６によるデータ通信は、たとえばインターネット通信、セルラー通信、Ｅメール等により実現される。
【００４３】
第２の制御部１２７は、各ブロックからの命令を受け、その命令に基づき各ブロックを制御するブロックであり、各情報をモード保存部１２２、および番地保存部１２３に保存する、あるいは各情報をモード保存部１２２、および番地保存部１２３から読み出すブロックである。第２の制御部１２７は、たとえばＣＰＵ（Ｃｅｎｔｒａｌ  Ｐｒｏｃｅｓｓｉｎｇ  Ｕｎｉｔ）上で動作するプログラムにより実現される。
【００４４】
以下、第２の制御部１２７が行う処理について、具体的に説明する。
【００４５】
第２の制御部１２７が行う第１の処理では、第２の無線部１２１を介して、第１の携帯端末１１０から共有モード開始・終了の旨と、時刻と、ユーザ識別情報とを受信すると、ユーザ識別情報に対応し、共有モード開始・終了時刻をモード保存部１２２に保存する。
【００４６】
第２の制御部１２７が行う第２の処理では、第２の操作入力部１２５からサーバ番地入力命令を受け、サーバ番地を番地保存部１２３に保存する。
【００４７】
第２の制御部１２７が行う第３の処理では、ユーザ識別情報に対応する開始時刻と終了時刻とをモード保存部１２２から読み出し、サーバの番地を番地保存部１２３から読み出し、送信先特定部１２４から送信先を特定し、第２の通信部１２６を介して、開始時刻と、終了時刻と、サーバの番地とをユーザ識別情報に対応する第１の携帯端末１１０に送信する。
【００４８】
サーバ１３０は、第３の通信部１３１と、第３の保存部１３２と、第３の操作入力部１３３と、第３の制御部１３４から構成される。
【００４９】
次にサーバ１３０の各ブロックの処理について説明をする。
【００５０】
第３の通信部１３１は、第１の携帯端末１１０とデータ通信をするためのブロックである。第３の通信部１３１によるデータ通信は、たとえばインターネット通信、セルラー通信、Ｅメール等により実現される。
【００５１】
第３の保存部１３２は、画像ファイルと、共有フォルダとを保存するブロックである。第３の保存部１３２は、たとえばハードディスク、ＳＤカード、フロッピー（登録商標）ディスク等により実現される。
【００５２】
第３の操作入力部１３３は、ユーザの操作を受けるブロックである。第３の操作入力部１３３は、たとえばキーボード、キーボタン、タッチパネルにより実現される。
【００５３】
第３の制御部１３４は、各ブロックからの命令を受け、その命令に基づき各ブロックを制御するブロックであり、画像ファイルを第３の保存部１３２に保存する。第３の制御部１３４は、たとえばＣＰＵ（Ｃｅｎｔｒａｌ  Ｐｒｏｃｅｓｓｉｎｇ  Ｕｎｉｔ）上で動作するプログラムにより実現される。
【００５４】
以下、第３の制御部１３４が行う処理について、具体的に説明する。
【００５５】
第３の制御部１３４が行う第１の処理では、第３の操作入力部１３３から共有フォルダ作成命令受け、共有フォルダを第３の保存部１３２に保存する。
【００５６】
第３の制御部１３４が行う第２の処理では、第３の通信部１３１を介して、第１の携帯端末１１０から画像ファイルを受信すると、画像ファイルを第３の保存部１３２に保存する。
【００５７】
次に、本発明の実施の形態１の具体的な動作について図２を用いて説明する。
【００５８】
図２は、実施の形態１における同情報処理システムの動作を説明するためのシーケンス図である。
【００５９】
図２に示すように、最初に、携帯端末Ｂ（前記第１の携帯端末１１０に相当）を使用するユーザＢが共有モードを時刻ＴＳＢに開始し（Ｓ２１０）、写真撮影を行う（Ｓ２１１）。この際に、携帯端末Ｂは、携帯端末Ａ（前記第２の携帯端末１２０に相当）に、共有モード開始時刻ＴＳＢとユーザ識別情報Ｂとを無線により送信する（Ｓ２１２）。ユーザＢが写真撮影を終了する際に、共有モードを時刻ＴＥＢに終了する（Ｓ２１３）。この際に、携帯端末Ｂから携帯端末Ａに、共有モード終了時刻ＴＥＢとユーザ識別情報Ｂとを無線により送信する（Ｓ２１４）。携帯端末Ｃにおいても、同様の処理が行われる（Ｓ２２０、Ｓ２２１、Ｓ２２２、Ｓ２２３，Ｓ２２４）。
【００６０】
次に、ユーザＡは、サーバに共有フォルダを作成し（Ｓ２３０）、サーバの番地を携帯端末Ａに入力する（Ｓ２３１）。
【００６１】
次に、携帯端末Ａは、携帯端末Ｂに共有モード開始時刻ＴＳＢと、共有モード終了時刻ＴＥＢと、サーバの番地とを送信する（Ｓ２３２）。同様に、携帯端末Ａは、携帯端末Ｃに共有モード開始時刻ＴＳＣと、共有モード終了時刻ＴＥＣと、サーバの番地とを送信する（Ｓ２３３）。
【００６２】
次に、携帯端末Ｂは、時刻ＴＳＢと時刻ＴＥＢとの間に対応したファイルをサーバの番地に送信する（Ｓ２１５）。同様に、携帯端末Ｃは、時刻ＴＳＣと時刻ＴＥＣとの間に対応したファイルをサーバの番地に送信する（Ｓ２２５）。
【００６３】
なお、携帯端末Ｂと携帯端末Ｃは、前記共有モード開始の前および共有モード終了の後に、開始時刻と、終了時刻と、ユーザ識別情報と、を送信していてもよい。
【００６４】
（実施の形態２）
図３は、実施の形態２における同情報処理システムの動作を説明するためのシーケンス図である。
【００６５】
処理Ｓ３１０、Ｓ３１１、Ｓ３１２、Ｓ３１３、Ｓ３１４は、実施の形態１における、処理Ｓ２１０、Ｓ２１１、Ｓ２１２、Ｓ２１３、Ｓ２１４と同様であるため説明を省略する。
【００６６】
処理Ｓ３２０、Ｓ３２１、Ｓ３２２、Ｓ３２３、Ｓ３２４は、実施の形態１における、処理Ｓ２２０、Ｓ２２１、Ｓ２２２、Ｓ２２３、Ｓ２２４と同様であるため説明を省略する。
【００６７】
処理Ｓ３３０、Ｓ３３１は、実施の形態１における、処理Ｓ２３０、Ｓ２３１と同様であるため説明を省略する。
【００６８】
次に、携帯端末Ａは、携帯端末Ｂに各ユーザの共有モード開始時刻の中で、最古の時刻ＴＳＢを、開始時刻として送信し、各ユーザの共有モード終了時刻の中で、最新の時刻ＴＥＣを、終了時刻として送信し、更にサーバの番地を送信する（Ｓ３３２）。同様に、携帯端末Ａは、携帯端末Ｃに各ユーザの共有モード開始時刻の中で、最古の時刻ＴＳＢを、開始時刻として送信し、各ユーザの共有モード終了時刻の中で、最新の時刻ＴＥＣを、終了時刻として送信し、更にサーバの番地を送信する（Ｓ３３３）。
【００６９】
次に、携帯端末Ｂは、時刻ＴＳＢと時刻ＴＥＣとの間に対応したファイルをサーバの番地に送信する（Ｓ３１５）。同様に、携帯端末Ｃは、時刻ＴＳＢと時刻ＴＥＣとの間に対応したファイルをサーバの番地に送信する（Ｓ３２５）。
【００７０】
なお、上記実施の形態では、携帯端末からサーバへのファイル送信を例に挙げて説明したが、送信完了後にサーバに保存されているファイルを携帯端末に受信させてもよい。
【００７１】
また、第１の携帯電話、および第２の携帯電話の各機能ブロックを同一の携帯電話に備えてもよい。
【産業上の利用可能性】
【００７２】
本発明は、ある近距離無線圏内において、複数ユーザで撮影した画像を、定められた時間の範囲で収集することができる。従って、結婚式等のイベントに参加した複数ユーザの画像収集に有用である。
【符号の説明】
【００７３】
１１０    第１の携帯端末
１１１    カメラ部
１１２    時計部
１１３    第１の保存部
１１４    第１の操作入力部
１１５    第１の無線部
１１６    第１の通信部
１１７    第１の制御部
１２０    第２の携帯端末
１２１    第２の無線部
１２２    モード保存部
１２３    番地保存部
１２４    送信先特定部
１２５    第２の操作入力部
１２６    第２の通信部
１２７    第２の制御部
１３０    サーバ
１３１    第３の通信部
１３２    第３の保存部
１３３    第３の操作入力部
１３４    第３の制御部
【図１】
2012150531.tif 000003
【図２】
2012150531.tif 000004
【図３】
2012150531.tif 000005
【図４】
2012150531.tif 000006